【事件の表示】
　特許第３０３４０７８号「カメラ」の請求項１ないし３に係る特許に対する特許異議の申立てについて、次のとおり決定する。
【結　論】
　訂正を認める。
　特許第３０３４０７８号の請求項１ないし３に係る特許を維持する。
【理　由】
１．手続の経緯
　特許第３０３４０７８号の請求項１ないし３に係る発明は、平成３年３月１５日に特許出願され、平成１２年２月１８日にその発明について特許権の設定登録がなされ、その後、その特許について、特許異議申立人コニカ株式会社により特許異議の申立てがなされ、取消の理由が通知され、その指定期間内である平成１３年３月１２日に訂正請求がなされたものである。
　
２．訂正の適否についての判断
（１）訂正の内容
　特許権者が求めている訂正の内容は以下のａないしｄのとおりである。
ア．訂正事項ａ
　特許請求の範囲の請求項１について、「進退制御機構と；を有することを特徴とするカメラ」を「進退制御機構と；上記撮影開口及び上記一対の遮光プレートよりも光軸後方に開閉可能に支持された後蓋と；を備え、上記進退制御機構は、この後蓋が開かれたときに、上記一対の遮光プレートを上記遮光位置に進出させることを特徴とするカメラ」と訂正する。また、請求項１の訂正に伴い請求項４を削除し、【請求項５】、【請求項６】の項番をそれぞれ【請求項４】、【請求項５】と訂正する。
イ．訂正事項ｂ
　明細書の段落【０００５】について、「進退制御機構とを有することを特徴としている。このカメラは、通常撮影モードとパノラマ撮影モードを備えることが望ましい。この場合、進退制御機構は、通常撮影モードでは一対の遮光プレートを上記の退避位置に保持し、パノラマ撮影モードでは上記の遮光位置に進出させる。また、撮影開口及び一対の遮光プレートよりも光軸後方に開閉可能に支持された後蓋をカメラが備えており、進退制御機構は、この後蓋が開かれたときに、一対の遮光プレートを上記の遮光位置に進出させるように構成することが好ましい。」を「進退制御機構と、撮影開口及び一対の遮光プレートよりも光軸後方に開閉可能に支持された後蓋とを備え、進退制御機構は、この後蓋が開かれたときに、一対の遮光プレートを上記の遮光位置に進出させることを特徴としている。このカメラは、通常撮影モードとパノラマ撮影モードを備えることが望ましい。この場合、進退制御機構は、通常撮影モードでは一対の遮光プレートを上記の退避位置に保持し、パノラマ撮影モードでは上記の遮光位置に進出させる。」と訂正する。
ウ．訂正事項ｃ
　明細書の段落【００２０】について、「撮影を行なうことができる。」を「撮影を行なうことができる。また、この遮光プレートが後蓋閉成時に閉じるので、撮影レンズを保護することができる。」と訂正する。
エ．訂正事項ｄ
　明細書の段落【００２１】について、「請求項５」を「請求項４」と訂正する。
　
（２）訂正の目的の適否、新規事項の有無、及び特許請求の範囲の拡張・変更の存否
　上記訂正事項ａは、訂正前の請求項１に請求項４の限定を加えるもので特許請求の範囲の減縮を目的とした明細書の訂正に該当し、新規事項の追加に該当せず、また、実質上特許請求の範囲を拡張し、又は変更するものでもない。
　また、上記訂正事項ｂないしｄは上記訂正事項ａの訂正に伴って、発明の詳細な説明の記載を適合させるものであるから、明瞭でない記載の釈明を目的とする明細書の訂正に該当し、新規事項の追加に該当せず、また、実質上特許請求の範囲を拡張し、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議申立てについての判断
（１）特許異議申立ての理由の概要
　特許異議申立人コニカ株式会社は、特許第３０３４０７８号の請求項１ないし３に係る発明は、特願平２−３３９６０号（以下、「先願１」という。）の願書に最初に添付された明細書又は図面（特開平３−２３８４４０号公報（特許異議申立人の甲第１号証）参照）に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により取り消されるべきものである旨主張している。
　
（２）本件発明
　特許第３０３４０７８号の請求項１ないし３に係る発明（以下、それぞれ「本件発明１」、「本件発明２」、「本件発明３」という。）は、平成１３年３月１２日付けの訂正明細書の特許請求の範囲の請求項１〜３に記載された事項により特定される次のとおりのものである。
　請求項１「撮影レンズを透過した光をフィルム上に結像させる撮影光学系と；フィルム上への通常の露光領域を決定する撮影開口を有するボディと；このボディの撮影開口の外側に位置して該撮影開口によってフィルム上への露光領域を決定させる退避位置と、このボディの撮影開口の上下一部に進出して通常の露光領域の縦方向長さを縮小した横長のパノラマ露光領域に変化させる遮光位置とに移動する一対の遮光プレートと；この一対の遮光プレートを、上記撮影光学系の光軸と略直交する平面内で移動可能にガイドする遮光プレートガイド機構と；この一対の遮光プレートを、上記撮影開口からの退避位置と、上記遮光位置とに進退制御する進退制御機構と；上記撮影開口及び上記一対の遮光プレートよりも光軸後方に開閉可能に支持された後蓋と；を備え、上記進退制御機構は、この後蓋が開かれたときに、上記一対の遮光プレートを上記遮光位置に進出させることを特徴とするカメラ」
　請求項２「請求項１記載のカメラにおいて、通常撮影モードとパノラマ撮影モードが備えられているカメラ。」
　請求項３「請求項２記載のカメラにおいて、上記進退制御機構は、通常撮影モードでは一対の遮光プレートを上記退避位置に保持し、パノラマ撮影モードでは上記遮光位置に進出させるカメラ。」
　
（３）先願１に記載された発明
　先願１には、「まず、第１の実施例を示す第１図ないし第４図において、１はカメラ本体、２はファインダ部、３はパトローネ室、４はスプロケット、５はスプール、６はレリーズボタン、７はカメラ本体１内に設置され、上側板１１と下側板１２と両側板１３，１４とにて形成された遮光筒、８は裏蓋、９は圧板、１０は遮光筒７の後端に配装されたアパーチュアである。」（第２頁右上欄第１７行〜左下欄第４行）
「カメラにフィルムを装填したのちに、第３図に示した、操作用部材４０１が引上げられている通常の画面サイズ写真撮影モードにおいて、操作つまみ部４３１にて操作用部材４０１を引下げると、連動用溝４２と連動用ピン３２との係合によって、連結用扇形歯車３１は時計方向に回動するとともに、該連結用扇形歯車３１に噛合する連結用扇形歯車３１´は反時計方向に回動し、連結用扇形歯車３１の回動により回動軸２２１を介して撮影モード切換え部材２０１は時計方向に回動し、連結用扇形歯車３１´の回動により回動軸２２１´を介して撮影モード切換え部材２０１´は反時計方向に回動することによって、撮影モード切換部材２０１，２０１´はアパーチュア１０を通過せしめる通常の画面サイズ写真撮影用光の光路内に進出して、通常の画面サイズ写真撮影用光を横長の疑似パノラマ写真撮影用光とならしめて停止し、停止位置保持用ばね５０によって保持されて、第１図と第４図に示した、疑似パノラマ写真撮影モードとなり、疑似パノラマ写真の撮影が可能となる。なお、上記の切換え操作の際には、操作つまみ部４３１が上側板１１に係合することによって、連動用扇形歯車３１，３１´が停止せしめられる。
　次に、第１図と第４図に示した、疑似パノラマ写真撮影モードにおいて、操作つまみ部４３１にて操作用部材４０１を引上げると、連動用溝４２と連動用ピン３２との係合によって連結用扇形歯車３１，３１´と回動軸２２１，２２１´は、上述とは逆の方向に回動し、これによって、撮影モード切換え部材２０１，２０１´はアパーチュア１０を通過せしめる通常の画面サイズ写真撮影用光の光路外に退避して停止し、停止位置保持用ばね５０によって保持され、第３図に示した、通常の画面サイズ写真撮影モードとなり、通常の画面サイズ写真の撮影が可能となる。なお、上記の切換え操作の際には、撮影モード切換え部材２０１，２０１´が遮光筒７の上側板１１、下側板１２に当接することによって、連動用扇形歯車３１，３１´が停止せしめられる。」（第３頁左上欄第８行〜左下欄第６行）
「第２ないし第４の実施例において、第１の実施例の構成部分と同じであるか、または均等である構成部分には、第１の実施例の構成部分に記入した符号と同じ符号、または実施例の番号を示す小文字付きの同じ符号を記入して、その詳細な説明を省略する。」（第３頁左下欄第８〜１３行）
「第３の実施例を示す第７図において、２０３，２０３´はアパーチュア１０の前方の近傍において垂直面内を斜め方向に上下移動自在に向合って配置した２個の撮影モード切換え部材であって、該撮影モード切換え部材２０３，２０３´にはカメラ本体に突設した案内ピン１６，１６，１６´，１６´に係合するとともに、互に逆方向に傾斜した傾斜案内溝孔２３，２３，２３´，２３´が形成してあり、一方の撮影モード切換え部材２０３の一端部には連動用ピン２４を突設し、他方の撮影モード切換え部材２０３´の一端部にはカメラ本体に設けた連結用歯車３５に噛合するラック２５が形成してある。３０３は向合った２個の撮影モード切換え部材２０３，２０３´を互に逆方向に移動せしめる連動連結機構であって、該連動連結機構３０３は、一方の撮影モード切換え部材２０３に突設した連動用ピン２４と、他方の撮影モード切換え部材２０３´に形成したラック２５と、該ラック２５に噛合する連結用歯車３５と、後記する連結板体４１３とにて構成せしめてある。
　ところで、上記連結用板体４１３はカメラ本体１に回動自在に取付けたくの字状板体の上端部を前記一方の撮影モード切換え部材２０３の一端部に突設した連動用ピン２４に係合するカム部となし、下端部には前記連結用歯車３５に噛合する扇形歯部４６を形成してなるものである。
　前記一方の撮影モード切換え部材２０３の他端部とカメラ本体１とには該撮影モード切換え部材２０３を停止位置に保持せしめる停止位置保持用ばね５０３の両端部を取付けてある。
　４０３は前記連動連結機構３０３を構成する連動用ピン２４と連結用歯車３５とを連動せしめる操作用部材であって、該操作用部材４０３は、前記連結用板体４１３の中央部に操作つまみ部４３３を形成してなるものである。
　第４の実施例を示す第８図において、２０４，２０４´はアパーチュア１０の前方において垂直面内を上下移動自在に向合って配置した２個の撮影モード切換え部材であって、該撮影モード切換え部材２０４，２０４´にはカメラ本体１に突設した案内ピン１７，１７，１７´，１７´に係合する垂直案内溝孔２６，２６，２６´，２６´が形成してあり、撮影モード切換え部材２０４，２０４´の一端部には後記する連結用歯車３６，３６´に噛合するラック２７，２７´が形成してある。
　３０４は向合った２個の撮影モード切換え部材２０４，２０４´を互に逆方向に移動せしめる連動連結機構であって、該連動連結機構３０４は、撮影モード切換え部材２０４，２０４´に形成したラック２７，２７´と該ラック２７，２７´に噛合する連結用歯車３６，３６´と、連結用歯車３６に噛合する連結用歯車３７と、後記する連結用板体４１４とにて構成せしめてある。
　ところで、上記連結用板体４１４は、カメラ本体１に回動自在に取付けた板体の上端部には前記連結用歯車３７に噛合する扇形歯部４７を、下端部には前記連結用歯車３６´に噛合する扇形歯部４７´をそれぞれ形成してなるものである。
　前記一方の撮影モード切換え部材２０４の他端部とカメラ本体１とに突設したばね取付用突起５１，５１´には、撮影モード切換え部材２０４，２０４´を停止位置に保持せしめる停止位置保持用ばね５０の両端部を取付けてある。
　４０４は前記連動連結機構３０４を構成する連結用歯車３６´，３７を連動せしめる操作用部材であって、該操作用部材４０４は前記連結用板体４１４の中央部に操作つまみ部４３４を形成してなるものである。
　要するに、第２ないし第４の各実施例は、上述のように構成されているので、第１の実施例と同様の作用効果を奏することができる。」（第４頁左上欄第２行〜右下欄第１２行）
　
　上記記載からみて、先願１には「通常の画面サイズ写真撮影用光を通過せしむるアパーチュアを有するカメラ本体と、通常の画面サイズ写真撮影用光の光路外に退避する位置と、通常の画面サイズ写真用光の光路内に進出して、通常の画面サイズ写真撮影用光を横長の疑似パノラマ写真撮影用光とならしめて停止する位置とに移動する撮影モード切換え部材と、この撮影モード切換え部材に形成された傾斜または垂直案内溝孔がカメラ本体に突設した案内ピンに係合して撮影モード切換え部材が垂直面内を上下移動自在とし、撮影モード切換え部材を互に逆方向に移動せしめる連動連結機構と、裏蓋とを備えたカメラ。」が記載されているものと認められる。
　
（４）対比・判断
　先願１に記載された「通常の画面サイズ写真撮影用光を通過せしむるアパーチュア」、「カメラ本体」、「通常の画面サイズ写真撮影用光の光路外に退避する位置」、「通常の画面サイズ写真用光の光路内に進出して、通常の画面サイズ写真撮影用光を横長の疑似パノラマ写真撮影用光とならしめて停止する位置」、「撮影モード切換え部材」、「垂直面内を上下移動自在」、「傾斜または垂直案内溝孔と案内ピン」、「撮影モード切換え部材を互に逆方向に移動せしめる連動連結機構」及び「裏蓋」は、それぞれ本件発明１の「通常の露光領域を決定する撮影開口」、「ボディ」、「撮影開口の外側に位置して該撮影開口によってフィルム上への露光領域を決定させる退避位置」、「撮影開口の上下一部に進出して通常の露光領域の縦方向長さを縮小した横長のパノラマ露光領域に変化させる遮光位置」、「一対の遮光プレート」、「光軸と略直交する平面内で移動可能にガイド」、「遮光プレートガイド機構」、「撮影開口からの退避位置と、遮光位置とに進退制御する進退制御機構」及び「撮影開口及び一対の遮光プレートよりも光軸後方に開閉可能に支持された後蓋」に相当する。そうすると両者は、
「フィルム上への通常の露光領域を決定する撮影開口を有するボディと；このボディの撮影開口の外側に位置して該撮影開口によってフィルム上への露光領域を決定させる退避位置と、このボディの撮影開口の上下一部に進出して通常の露光領域の縦方向長さを縮小した横長のパノラマ露光領域に変化させる遮光位置とに移動する一対の遮光プレートと；この一対の遮光プレートを、上記撮影光学系の光軸と略直交する平面内で移動可能にガイドする遮光プレートガイド機構と；この一対の遮光プレートを、上記撮影開口からの退避位置と、上記遮光位置とに進退制御する進退制御機構と；上記撮影開口及び上記一対の遮光プレートよりも光軸後方に開閉可能に支持された後蓋と；を備えたカメラ」で一致し、
　本件発明１が撮影レンズを透過した光をフィルム上に結像させる撮影光学系を有するのに対し、先願１には撮影光学系が具体的に記載されていない点（以下、「相違点１」という。）
　本件発明１が「進退制御機構は、この後蓋が開かれたときに、一対の遮光プレートを遮光位置に進出させる」のに対し、先願１にはそのようなことが記載されていない点（以下、「相違点２」という。）で相違している。
　そこで、上記相違点について検討する。
　相違点１については、先願１はフィルム上に写真撮影を行うカメラであるから、撮影光学系が具体的に記載されていなくとも、撮影レンズを透過した光をフィルム上に結像させる撮影光学系を有することは明らかであるから、相違点１については本件発明１と先願１との間に実質的な差異はない。
　相違点２については、先願１に後蓋は記載されているが、後蓋が開かれたときに進退制御機構が一対の遮光プレートを遮光位置に進出させることは記載されておらず、また、そのことを示唆する記載もなく、自明または技術常識でもないから、この点で本件発明１と先願１の願書に最初に添付された明細書又は図面に記載された発明とを同一とすることはできない。
　また、本件発明２は本件発明１を、本件発明３は本件発明２をそれぞれ引用しているから、本件発明２、３は本件発明１と同じ点で先願１の願書に最初に添付された明細書又は図面に記載された発明と相違している。
（５）むすび
　以上のとおりであるから、特許異議申立ての理由及び証拠によっては、本件発明１ないし３についての特許を取り消すことはできない。
　また、他に本件発明１ないし３についての特許を取り消すべき理由を発見しない。
　したがって、本件発明についての特許は拒絶の査定をしなければならない特許出願に対してされたものと認めない。
　よって、結論のとおり決定する。
【異議決定日】
平成１３年６月１日（２００１．６．１）
【訂正の要旨】
　【訂正の要旨】
　訂正事項ａ
　特許請求の範囲の請求項１について、「進退制御機構と；を有することを特徴とするカメラ」を「進退制御機構と；上記撮影開口及び上記一対の遮光プレートよりも光軸後方に開閉可能に支持された後蓋と；を備え、上記進退制御機構は、この後蓋が開かれたときに、上記一対の遮光プレートを上記遮光位置に進出させることを特徴とするカメラ」と訂正する。また、請求項１の訂正に伴い請求項４を削除し、【請求項５】、【請求項６】の項番をそれぞれ【請求項４】、【請求項５】と訂正する。
　訂正事項ｂ
　明細書の段落【０００５】について、「進退制御機構とを有することを特徴としている。このカメラは、通常撮影モードとパノラマ撮影モードを備えることが望ましい。この場合、進退制御機構は、通常撮影モードでは一対の遮光プレートを上記の退避位置に保持し、パノラマ撮影モードでは上記の遮光位置に進出させる。また、撮影開口及び一対の遮光プレートよりも光軸後方に開閉可能に支持された後蓋をカメラが備えており、進退制御機構は、この後蓋が開かれたときに、一対の遮光プレートを上記の遮光位置に進出させるように構成することが好ましい。」を「進退制御機構と、撮影開口及び一対の遮光プレートよりも光軸後方に開閉可能に支持された後蓋とを備え、進退制御機構は、この後蓋が開かれたときに、一対の遮光プレートを上記の遮光位置に進出させることを特徴としている。このカメラは、通常撮影モードとパノラマ撮影モードを備えることが望ましい。この場合、進退制御機構は、通常撮影モードでは一対の遮光プレートを上記の退避位置に保持し、パノラマ撮影モードでは上記の遮光位置に進出させる。」と訂正する。
　訂正事項ｃ
　明細書の段落【００２０】について、「撮影を行なうことができる。」を「撮影を行なうことができる。また、この遮光プレートが後蓋閉成時に閉じるので、撮影レンズを保護することができる。」と訂正する。
　訂正事項ｄ
　明細書の段落【００２１】について、「請求項５」を「請求項４」と訂正する。
（５４）【発明の名称】
カメラ
（５７）【特許請求の範囲】
　【請求項１】　撮影レンズを透過した光をフィルム上に結像させる撮影光学系と；
　フィルム上への通常の露光領域を決定する撮影開口を有するボディと；
　このボディの撮影開口の外側に位置して該撮影開口によってフィルム上への露光領域を決定させる退避位置と、このボディの撮影開口の上下一部に進出して通常の露光領域の縦方向長さを縮小した横長のパノラマ露光領域に変化させる遮光位置とに移動する一対の遮光プレートと；
　この一対の遮光プレートを、上記撮影光学系の光軸と略直交する平面内で移動可能にガイドする遮光プレートガイド機構と；
　この一対の遮光プレートを、上記撮影開口からの退避位置と、上記遮光位置とに進退制御する進退制御機構と；
　上記撮影開口及び上記一対の遮光プレートよりも光軸後方に開閉可能に支持された後蓋と；
を備え、
　上記進退制御機構は、この後蓋が開かれたときに、上記一対の遮光プレートを上記遮光位置に進出させることを特徴とするカメラ。
　【請求項２】　請求項１記載のカメラにおいて、通常撮影モードとパノラマ撮影モードが備えられているカメラ。
　【請求項３】　請求項２記載のカメラにおいて、上記進退制御機構は、通常撮影モードでは一対の遮光プレートを上記退避位置に保持し、パノラマ撮影モードでは上記遮光位置に進出させるカメラ。
　【請求項４】　その回転によりズームレンズを駆動するカム環と；
　撮影レンズを透過した光をフィルム上に結像させる撮影光学系と；
　フィルム上への露光領域を、通常の撮影範囲に対応する通常露光領域と、通常の撮影範囲より横長のパノラマ露光領域とに機械的に切り替えるアパーチャ可変手段と；
　上記カム環の特定回動角領域において、アパーチャ可変手段を該カム環に連動させ、通常露光領域とパノラマ露光領域との切替を行なう連動手段と；を有することを特徴とするカメラ。
　【請求項５】　請求項４記載のカメラにおいて、連動手段は、カム環の外周一部に設けたパノラマセクタギヤ、およびカム環の特定回動角領域においてこのパノラマセクタギヤと噛み合い、アパーチャ可変手段を駆動するピニオンを有しているカメラ。
【発明の詳細な説明】
　【０００１】
　【技術分野】
　本発明は、パノラマ撮影に用いて好適な機能を有するカメラに関する。
　【０００２】
　【従来技術およびその問題点】
　パノラマ撮影は、フィルム撮影駒の上下一定幅を作画に用いることなく、横長の焼付写真を得る撮影焼付技法を言う。この上下一定幅を作画に使用させないため、通常は、フイルム撮影駒の上下一定幅を遮光している。
　【０００３】
　ところで、この遮光のための装置は、特に、撮影モードの切り換えによりパノラマ撮影が可能となる兼用タイプのカメラにおいて複雑な構成を有している。このため、製造時の工程数も多く、コストアップを回避することが困難であった。
　【０００４】
　【発明の目的】
　本発明は、上述の従来の問題点に鑑みてなされたものであり、簡単な構成からなるものでありながら、通常露光領域からパノラマ撮影領域に簡単かつ確実に切り替えることのできるカメラを得ることを目的とするものである。
　【０００５】
　【発明の概要】
　本発明のカメラは、撮影レンズを透過した光をフィルム上に結像させる撮影光学系と、フィルム上への通常の露光領域を決定する撮影開口を有するボディと、このボディの撮影開口の外側に位置して該撮影開口によってフィルム上への露光領域を決定させる退避位置と、このボディの撮影開口の上下一部に進出して通常の露光領域の縦方向長さを縮小した横長のパノラマ露光領域に変化させる遮光位置とに移動する一対の遮光プレートと、この一対の遮光プレートを、撮影光学系の光軸と略直交する平面内で移動可能にガイドする遮光プレートガイド機構と、この一対の遮光プレートを、撮影開口からの退避位置と、遮光位置とに進退制御する進退制御機構と、撮影開口及び一対の遮光プレートよりも光軸後方に開閉可能に支持された後蓋とを備え、進退制御機構は、この後蓋が開かれたときに、一対の遮光プレートを上記の遮光位置に進出させることを特徴としている。このカメラは、通常撮影モードとパノラマ撮影モードを備えることが望ましい。この場合、進退制御機構は、通常撮影モードでは一対の遮光プレートを上記の退避位置に保持し、パノラマ撮影モードでは上記の遮光位置に進出させる。
　【０００６】
　また本発明のカメラは、その回転によりズームレンズを駆動するカム環と、撮影レンズを透過した光をフィルム上に結像させる撮影光学系と、フィルム上への露光領域を、通常の撮影範囲に対応する通常露光領域と、通常の撮影範囲より横長のパノラマ露光領域とに機械的に切り替えるアパーチャ可変手段と、上記カム環の特定回動角領域において、アパーチャ可変手段を該カム環に連動させ、通常露光領域とパノラマ露光領域との切替を行なう連動手段とを有することを特徴とする。このカメラの連動手段は、カム環の外周一部に設けたパノラマセクタギヤと、カム環の特定回動角領域においてこのパノラマセクタギヤと噛み合い、アパーチャ可変手段を駆動するピニオンとを有していることが望ましい。
　【０００７】
　【発明の実施例】
　以下図示実施例について本発明によるパノラマ撮影モードを備えたカメラを説明する。カメラ２１は、図４に示すように、ズーム撮影レンズ系２２の直上に、ズームファインダ系２３を備えている。図中４８は後蓋である。
　【０００８】
　カメラ２１は、図５に詳細を示すように、モード切換スイッチ２４を備えている。このモード切換スイッチ２４は、スライドノブ２４ａにより、電源オフＯＦＦ、パノラマ撮影モードＰａｎｏｒａｍａ、ズーム撮影モードＺｏｏｍ、およびマクロ撮影モードＭａｃｒｏを選択するものである。
　【０００９】
　図１〜図３に、撮影開口の大きさ（露光領域）を通常撮影とパノラマ撮影とで機械的に切り替えるための機構の具体例を示す。撮影開口（アパーチャ）２５を有するボディ２６には、その両端に、フィルムパトローネ室２７と、フィルム巻き上げのためのスプール室２８とが設けられている。撮影開口２５は、通常撮影における撮影範囲（撮影駒の大きさ）を決定する。
　【００１０】
　このボディ２６の前面には、撮影開口２５の両側上下に位置させて、遮光プレートガイド２９が形成されている。この遮光プレートガイド２９は、上下に位置する一対の遮光プレート３０を上下方向に、すなわちズームレンズ系２２の撮影光軸と略直交する平面内で摺動可能にガイドする機構を構成しており、遮光プレート３０は、図３に示す、撮影開口２５の外側に退避する位置と、図２に示す、遮光プレートガイド２９のストッパ２９ａに当接する進出位置とに移動できる。この進出位置では、遮光プレート３０は、撮影開口２５の上下の一部を覆い、パノラマ撮影開口２５Ｐを形成する。
　【００１１】
　この上下の一対の遮光プレート３０には、板ばね３１の一端部３１ａが固定されており、この一対の板ばね３１の他端部３１ｂは、一対の上下方向のラック板３２にそれぞれ固定されている。一対のラック板３２には、互いに対向する面にラック３２ａが形成されており、この一対のラック３２ａに一つのピニオン３３が同時に噛み合っている。この一対のラック板３２は、引張ばね３４（一つ）により互いに離隔する方向に、つまり一対の遮光プレート３０が撮影開口２５の外側に位置する方向に移動付勢されており、その離隔端は、ストッパ３５が規制している。板ばね３１は、その弾性により、図２のパノラマ撮影状態では、遮光プレート３０を確実にストッパ２９ａに当接させ、図３の通常撮影状態では、遮光プレート３０を確実に撮影開口２５から退避させる作用をする。
　【００１２】
　ズーム撮影レンズ系２２は、カム環３６を備え、このカム環３６の外周には、ズームギヤ３６ａと、パノラマセクタギヤ３６ｂとが設けられている。ズームギヤ３６ａは、正逆回転モータ３７および減速ギヤ列３８によって駆動されるピニオン３８ａに噛み合っており、パノラマセクタギヤ３６ｂは、ピニオン３３に軸３３ａで同軸一体に結合されたピニオン３９に噛み合うことができる。
　【００１３】
　カム環３６は、その回転により、ズームレンズ系の焦点距離を変化させるものであればよい。本発明は、ズームレンズ系の具体的構成を問うものではないが、図７は、カム環３６の一例を示す展開図である。このカム環３６は、前後２群で構成される最も単純なズームレンズ系を駆動する２本のカム溝４０、４１を有するもので、カム溝４０は直進案内された前群レンズ（図示せず）をガイドし、カム溝４１は同じく直進案内された後群レンズ（同）をガイドする。このカム溝４０とカム溝４１は、ズーム区間ｄ１の両側にそれぞれマクロ移行区間ｄ２、およびパノラマ移行区間ｄ３を有する。カム環３６は、ズーム区間ｄ１では、焦点距離が２８〜７０ｍｍの間で変化するように、前群レンズと後群レンズを移動させ、マクロ移行区間ｄ２ではマクロ撮影ができるように前群レンズだけを一定距離前方に移動させ、パノラマ移行区間ｄ３では前群レンズ、後群レンズとも移動させずに、空回転する。
　【００１４】
　パノラマセクタギヤ３６ｂとピニオン３９は、このカム環３６のパノラマ移行区間ｄ３における空回転において噛み合い、その結果ピニオン３３が回転する。ピニオン３３が回転すると、ラック板３２が互いに接近する方向に移動し、その結果、一対の遮光プレート３０が、図２に示すように、ストッパ２９ａに当接する迄移動して、パノラマ撮影開口２５Ｐが得られる。パノラマセクタギヤ３６ｂとピニオン３９の噛合が生じないカム環３６のズーム区間ｄ１およびマクロ移行区間ｄ２では、ラック板３２は引張ばね３４の力により引かれ、遮光プレート３０は、図３に示すように、撮影開口２５から退避する。
　【００１５】
　カム環３６のズームギヤ３６ａにはまた、ズームファインダ系２３との連動ギヤ４２が噛み合っている。この連動ギヤ４２と同軸一体の軸４２ａは、後方に延長されて、減速ギヤ列２０に接続されており、減速ギヤ列２０の最終ピニオン（図示せず）は、図示しないズームファインダ系のカムプレートに形成したラックに噛み合っている。これにより、ズームファインダ系２３によって得るファインダ視野を図６に示すように変化させることができる。この例では、ズーム撮影レンズ系２２の焦点距離が２８ｍｍ（ＷＩＤＥ）から７０ｍｍ（ＴＥＬＥ）に変化し、ワイド端においてパノラマ撮影モードへ移行でき、テレ端においてマクロ撮影モードへ移行できる。ＴＥＬＥからＷＩＤＥでは、ファインダ視野５２は変化せず、Ｍａｃｒｏでは、パララックスを補正すべくマクロファインダ視野５２Ｍが下方に移動し、Ｐａｎｏｒａｍａではパノラマ撮影の縦横比に併せて、パノラマファインダ視野５２Ｐが横長になる。ファインダ視野をパノラマファインダ視野とするには、このように機械的に視野を制限するものの他、視野内に、上下から一定の距離を置いた位置に二本の枠線を描き、この枠線内をパノラマファインダ視野とするものもあるが、本発明ではその構成は問わない。電源オフＯＦＦでは、横長になったパノラマファインダ視野５２Ｐはそのままの状態に保持される。
　【００１６】
　図８は上記動作を行なわせる制御系のブロック図である。モード切換スイッチ２４の入力を受けるＣＰＵ４５には、正逆回転モータ３７の回転方向および回転量を指令するテレスイッチＴＳ、ワイドスイッチＷＳ、マクロスイッチＭＳ、パノラマスイッチＰＳ、および後蓋４８の開閉によりオン、オフする開閉検知スイッチ４４からの信号が入力される。ＣＰＵ４５は、これらのスイッチ手段からの入力に応じ、モータ駆動回路４６を介して正逆回転モータ３７を正逆に駆動し、ピニオン３８ａ、ズームギヤ３６ａ，パノラマセクタギヤ３６ｂ，ピニオン３９，連動ギヤ４２，減速ギヤ列２０のギヤ列を介して、ズームファインダ系の最終ピニオン（図示せず）、アパーチャ可変手段を構成するピニオン３３、および視野枠可変機構のピニオン（図示せず）を駆動する。テレスイッチＴＳとワイドスイッチＷＳは図示しない操作部材の操作によりオンまたはオフされ、マクロスイッチＭＳ、パノラマスイッチＰＳは図５に示したスライドノブ２４ａの位置に対応してオンまたはオフされる。
　【００１７】
　したがって、このスライドノブ２４ａを移動させてパノラマ撮影モードに切り替えると、パノラマスイッチＰＳのオン信号に基づいてＣＰＵ４５が、モータ駆動回路４６を介して正逆回転モータ３７を駆動し、カム環３６を、パノラマセクタギヤ３６ｂがピニオン３９と噛み合うことのできる特定の回動角領域に回動させる。これによりピニオン３３が回動されて、一対の遮光プレート３０が、図２に示すように、ストッパ２９ａに当接する迄移動して、パノラマ撮影開口２５Ｐを形成する。したがって、モード切換スイッチ２４をＰａｎｏｒａｍａに切り替えるだけで、フィルム上への露光領域を、通常の撮影範囲に対応する通常露光領域からこの通常の撮影範囲より横長のパノラマ露光領域へ、機械的にかつ確実に切り替えることができる。
　【００１８】
　また後蓋４８が開放されて開閉検知スイッチ４４がオンすると、これに基づきＣＰＵ４５がモータ駆動回路４６、ギヤ列を介して正逆回転モータ３７を駆動してズーム撮影レンズ系２２を収縮側に駆動し、最収縮状態である収納位置に位置させる。このとき、カム環３６の回動によりパノラマセクタギヤ３６ｂがピニオン３９と噛み合うので、Ｐａｎｏｒａｍａ時と同様に一対の遮光プレート３０が上下方向に摺動され、遮光プレートガイド２９のストッパ２９ａに当接する進出位置に移動する。したがって、後蓋４８を開放させてフィルムを装填するとき、撮影開口２５内に指やフィルムの先端等が入り撮影レンズを汚す等の不都合を起こりにくくさせることができる。
　【００１９】
　本実施例はマクロ撮影域を有するカメラに本発明を適用したものであるが、本発明は、マクロ撮影域を持たないカメラにも勿論適用できる。
　【００２０】
　【発明の効果】
　以上の説明から明らかなように本発明のカメラによれば、簡単で、かつ一対の遮光プレートが光軸と略直交する平面内で移動する省スペースな構成でありながら、通常露光領域からパノラマ露光領域に容易かつ確実に切り替えて、パノラマ撮影を行なうことができる。また、この遮光プレートが後蓋開成時に閉じるので、撮影レンズを保護することができる。
　【００２１】
　また請求項４に記載の発明によれば、カム環の回転動作を利用して機械的なアパーチャ可変手段を作動させることができるから、パノラマ撮影の可能なカメラを極めて簡単な構成で、しかもコンパクトに得ることができる。
【図面の簡単な説明】
　【図１】
　本発明を適用したカメラのズーム撮影光学系の、通常撮影とパノラマ撮影との撮影範囲を変換する機構を示す斜視図である。
　【図２】
　図１の撮影範囲変換機構の作動状態を示す正面図である。
　【図３】
　撮影範囲変換機構の図２とは異なる作動状態を示す正面図である。
　【図４】
　本発明を適用したカメラの全体を示す外観図である。
　【図５】
　図４のカメラに備えられたモード変換スイッチの平面図である。
　【図６】
　図４のカメラの視野の変化を段階的に示す正面図である。
　【図７】
　ズーム撮影光学系のカム環の一例を示す展開図である。
　【図８】
　ズーム撮影光学系とファインダ光学系の駆動系を示すブロック図である。
　【符号の説明】
　２１　カメラ
　２２　ズーム撮影レンズ系
　２４　モード切換スイッチ
　２５　撮影開口
　２５Ｐ　パノラマ撮影開口
　２９　遮光プレートガイド
　２９ａ　ストッパ
　３０　遮光プレート
　３１　板ばね
　３２　ラック板
　３２ａ　ラック
　３３　ピニオン
　３４　引張ばね
　３５　ストッパ
　３６　カム環
　３６ａ　ズームギヤ
　３６ｂ　パノラマセクタギヤ
　３７　正逆回転モータ
　３８　減速ギヤ列
　３８ａ　ピニオン
　３９　ピニオン
　４０　カム溝
　４１　カム溝
　４４　開閉検知スイッチ
　４５　ＣＰＵ
　４６　モータ駆動回路
　４８　後蓋　
　ｄ３　パノラマ移行区間
　ＰＳ　パノラマスイッチ